【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）における、複数のキャリアを用いて動作するアップリンクフィードバックのための方法であって、
前記ＷＴＲＵによって、複数の構成されたキャリアのセットの上において、複数のトランスポートブロックを受信するステップと、
前記ＷＴＲＵによって、前記複数のトランスポートブロックについてのハイブリッド自動再送要求（ＨＡＲＱ）肯定応答（ＡＣＫ）フィードバック、および、前記複数の構成されたキャリアのうちの少なくとも１つについてのチャネル状態情報（ＣＳＩ）フィードバックを生成するステップと、
前記ＷＴＲＵによって、前記ＨＡＲＱ−ＡＣＫフィードバックのために使用するＨＡＲＱ−ＡＣＫフィードバックビットの数と、前記ＣＳＩフィードバックのために使用するＣＳＩフィードバックビットの数とを含む、フィードバックメッセージを生成するステップと、
前記ＷＴＲＵによって、ＨＡＲＱ−ＡＣＫフィードバックビットの前記数と、ＣＳＩフィードバックビットの前記数とに基づいて、物理アップリンク制御チャネル（ＰＵＣＣＨ）フォーマットを決定するステップと、
前記ＷＴＲＵによって、前記決定されたＰＵＣＣＨフォーマットを使用して、前記フィードバックメッセージを送信するステップと
を備えることを特徴とする方法。
【請求項２】
ＨＡＲＱ−ＡＣＫフィードバックビットの前記数がゼロよりも多く、および、ＣＳＩフィードバックビットの前記数がゼロよりも多いという条件で、前記ＷＴＲＵによって、第１のＰＵＣＣＨフォーマットまたは第２のＰＵＣＣＨフォーマットを選択するステップと、
ＨＡＲＱ−ＡＣＫフィードバックビットの前記数とＣＳＩフィードバックビットの前記数との合計が第１の閾値よりも多いという条件で、前記ＷＴＲＵによって、第１のＰＵＣＣＨフォーマットを選択するステップと、
ＨＡＲＱ−ＡＣＫフィードバックビットの前記数とＣＳＩフィードバックビットの前記数との合計が前記第１の閾値以下であるという条件で、前記ＷＴＲＵによって、第２のＰＵＣＣＨフォーマットを選択するステップと
をさらに備えることを特徴とする請求項１に記載の方法。
【請求項３】
ＨＡＲＱ−ＡＣＫフィードバックビットの前記数がゼロに等しく、および、ＣＳＩフィードバックビットの前記数がゼロよりも多いという条件で、前記ＷＴＲＵによって、第１のＰＵＣＣＨフォーマットまたは第３のＰＵＣＣＨフォーマットを選択するステップと、
ＣＳＩフィードバックビットの前記数が第２の閾値よりも多いという条件で、前記ＷＴＲＵによって、第１のＰＵＣＣＨフォーマットを選択するステップと、
ＣＳＩフィードバックビットの前記数が前記第２の閾値以下であるという条件で、前記ＷＴＲＵによって、第３のＰＵＣＣＨフォーマットを選択するステップと
をさらに備えることを特徴とする請求項１に記載の方法。
【請求項４】
ＨＡＲＱ−ＡＣＫフィードバックビットの前記数がゼロよりも多く、および、ＣＳＩフィードバックビットの前記数がゼロに等しいという条件で、前記ＷＴＲＵによって、第１のＰＵＣＣＨフォーマットまたは第４のＰＵＣＣＨフォーマットを選択するステップと、
ＨＡＲＱ−ＡＣＫフィードバックビットの前記数が第３の閾値よりも多いという条件で、前記ＷＴＲＵによって、第１のＰＵＣＣＨフォーマットを選択するステップと、
ＨＡＲＱ−ＡＣＫフィードバックビットの前記数が前記第３の閾値以下であるという条件で、前記ＷＴＲＵによって、第４のＰＵＣＣＨフォーマットを選択するステップと
をさらに備えることを特徴とする請求項１に記載の方法。
【請求項５】
前記ＨＡＲＱ−ＡＣＫフィードバックのために使用するＨＡＲＱ−ＡＣＫフィードバックビットの前記数、または、前記ＣＳＩフィードバックのために使用するＣＳＩフィードバックビットの前記数の少なくとも一方は、前記複数の構成されたキャリアの前記セット内のキャリアに対する複数のダウンリンク割り当てに基づいて決定されることを特徴とする請求項１に記載の方法。
【請求項６】
前記ＨＡＲＱ−ＡＣＫフィードバックのために使用するＨＡＲＱ−ＡＣＫフィードバックビットの前記数、または、前記ＣＳＩフィードバックのために使用するＣＳＩフィードバックビットの前記数の少なくとも一方は、トランスポートブロックの数、前記複数の構成されたキャリアの前記セット内のキャリアの数、または前記トランスポートブロックがその上で受信されるサブフレームの数のうちの少なくとも１つに基づいて決定されることを特徴とする請求項１に記載の方法。
【請求項７】
前記複数の構成されたキャリアの前記セットは、６つ以上の構成されたキャリアを含むことを特徴とする請求項１に記載の方法。
【請求項８】
複数のキャリアを用いて動作するアップリンクフィードバックのための無線送受信ユニット（ＷＴＲＵ）であって、
複数の構成されたキャリアのセットの上において、複数のトランスポートブロックを受信するように構成された送受信機と、
前記送受信機に動作可能に結合されたプロセッサとを備え、前記プロセッサは、前記複数のトランスポートブロックについてのハイブリッド自動再送要求（ＨＡＲＱ）肯定応答（ＡＣＫ）フィードバック、および、前記複数の構成されたキャリアのうちの少なくとも１つについてのチャネル状態情報（ＣＳＩ）フィードバックを生成するように構成され、
前記プロセッサは、前記ＨＡＲＱ−ＡＣＫフィードバックのために使用するＨＡＲＱ−ＡＣＫフィードバックビットの数と、前記ＣＳＩフィードバックのために使用するＣＳＩフィードバックビットの数とを含む、フィードバックメッセージを生成するように構成され、
前記プロセッサは、ＨＡＲＱ−ＡＣＫフィードバックビットの前記数と、ＣＳＩフィードバックビットの前記数とに基づいて、物理アップリンク制御チャネル（ＰＵＣＣＨ）フォーマットを決定するように構成され、
前記送受信機は、前記決定されたＰＵＣＣＨフォーマットを使用して、前記フィードバックメッセージを送信するように構成されたこと
を特徴とするＷＴＲＵ。
【請求項９】
ＨＡＲＱ−ＡＣＫフィードバックビットの前記数がゼロよりも多く、および、ＣＳＩフィードバックビットの前記数がゼロよりも多いという条件で、第１のＰＵＣＣＨフォーマットまたは第２のＰＵＣＣＨフォーマットを選択するように構成された前記プロセッサと、
ＨＡＲＱ−ＡＣＫフィードバックビットの前記数とＣＳＩフィードバックビットの前記数との合計が第１の閾値よりも多いという条件で、第１のＰＵＣＣＨフォーマットを選択するように構成された前記プロセッサと、
ＨＡＲＱ−ＡＣＫフィードバックビットの前記数とＣＳＩフィードバックビットの前記数との合計が前記第１の閾値以下であるという条件で、第２のＰＵＣＣＨフォーマットを選択するように構成された前記プロセッサと
をさらに備えたことを特徴とする請求項８に記載のＷＴＲＵ。
【請求項１０】
ＨＡＲＱ−ＡＣＫフィードバックビットの前記数がゼロに等しく、および、ＣＳＩフィードバックビットの前記数がゼロよりも多いという条件で、第１のＰＵＣＣＨフォーマットまたは第３のＰＵＣＣＨフォーマットを選択するように構成された前記プロセッサと、
ＣＳＩフィードバックビットの前記数が第２の閾値よりも多いという条件で、第１のＰＵＣＣＨフォーマットを選択するように構成された前記プロセッサと、
ＣＳＩフィードバックビットの前記数が前記第２の閾値以下であるという条件で、第３のＰＵＣＣＨフォーマットを選択するように構成された前記プロセッサと
をさらに備えたことを特徴とする請求項８に記載のＷＴＲＵ。
【請求項１１】
ＨＡＲＱ−ＡＣＫフィードバックビットの前記数がゼロよりも多く、および、ＣＳＩフィードバックビットの前記数がゼロに等しいという条件で、第１のＰＵＣＣＨフォーマットまたは第４のＰＵＣＣＨフォーマットを選択するように構成された前記プロセッサと、
ＨＡＲＱ−ＡＣＫフィードバックビットの前記数が第３の閾値よりも多いという条件で、第１のＰＵＣＣＨフォーマットを選択するように構成された前記プロセッサと、
ＨＡＲＱ−ＡＣＫフィードバックビットの前記数が前記第３の閾値以下であるという条件で、第４のＰＵＣＣＨフォーマットを選択するように構成された前記プロセッサと
をさらに備えたことを特徴とする請求項８に記載のＷＴＲＵ。
【請求項１２】
前記ＨＡＲＱ−ＡＣＫフィードバックのために使用するＨＡＲＱ−ＡＣＫフィードバックビットの前記数、または、前記ＣＳＩフィードバックのために使用するＣＳＩフィードバックビットの前記数の少なくとも一方は、前記複数の構成されたキャリアの前記セット内のキャリアに対する複数のダウンリンク割り当てに基づいて決定されることを特徴とする請求項８に記載のＷＴＲＵ。
【請求項１３】
前記ＨＡＲＱ−ＡＣＫフィードバックのために使用するＨＡＲＱ−ＡＣＫフィードバックビットの前記数、または、前記ＣＳＩフィードバックのために使用するＣＳＩフィードバックビットの前記数の少なくとも一方は、トランスポートブロックの数、前記複数の構成されたキャリアの前記セット内のキャリアの数、または前記トランスポートブロックがその上で受信されるサブフレームの数のうちの少なくとも１つに基づいて決定されることを特徴とする請求項８に記載のＷＴＲＵ。
【請求項１４】
前記複数の構成されたキャリアの前記セットは、６つ以上の構成されたキャリアを含むことを特徴とする請求項８に記載のＷＴＲＵ。
【請求項１５】
無線送受信ユニット（ＷＴＲＵ）における、複数のキャリアを用いて動作するアップリンクフィードバックのための方法であって、
前記ＷＴＲＵによって、複数の構成されたキャリアのセットの上において、複数のトランスポートブロックを受信するステップと、
前記ＷＴＲＵによって、前記複数のトランスポートブロックについてのハイブリッド自動再送要求（ＨＡＲＱ）肯定応答（ＡＣＫ）フィードバック、および、前記複数の構成されたキャリアのうちの少なくとも１つについてのチャネル状態情報（ＣＳＩ）フィードバックを生成するステップと、
前記ＷＴＲＵによって、前記ＨＡＲＱ−ＡＣＫフィードバックのために使用するＨＡＲＱ−ＡＣＫフィードバックビットの数と、前記ＣＳＩフィードバックのために使用するＣＳＩフィードバックビットの数とを含む、フィードバックメッセージを生成するステップと、
前記ＷＴＲＵによって、ＨＡＲＱ−ＡＣＫフィードバックビットの前記数と、ＣＳＩフィードバックビットの前記数とに基づいて、１つ以上の物理アップリンク制御チャネル（ＰＵＣＣＨ）リソースを決定するステップと、
前記ＷＴＲＵによって、前記決定された１つ以上のＰＵＣＣＨリソースを使用して、前記フィードバックメッセージを送信するステップと
を備えることを特徴とする方法。
【請求項１６】
ＨＡＲＱ−ＡＣＫフィードバックビットの前記数がゼロよりも多く、および、ＣＳＩフィードバックビットの前記数がゼロよりも多いという条件で、前記ＷＴＲＵによって、第１のＰＵＣＣＨリソースまたは第２のＰＵＣＣＨリソースを選択するステップと、
ＨＡＲＱ−ＡＣＫフィードバックビットの前記数とＣＳＩフィードバックビットの前記数との合計が第１の閾値よりも多いという条件で、前記ＷＴＲＵによって、第１のＰＵＣＣＨリソースを選択するステップと、
ＨＡＲＱ−ＡＣＫフィードバックビットの前記数とＣＳＩフィードバックビットの前記数との合計が前記第１の閾値以下であるという条件で、前記ＷＴＲＵによって、第２のＰＵＣＣＨリソースを選択するステップと
をさらに備えることを特徴とする請求項１５に記載の方法。
【請求項１７】
ＨＡＲＱ−ＡＣＫフィードバックビットの前記数がゼロに等しく、および、ＣＳＩフィードバックビットの前記数がゼロよりも多いという条件で、前記ＷＴＲＵによって、第１のＰＵＣＣＨリソースまたは第３のＰＵＣＣＨリソースを選択するステップと、    
ＣＳＩフィードバックビットの前記数が第２の閾値よりも多いという条件で、前記ＷＴＲＵによって、第１のＰＵＣＣＨリソースを選択するステップと、
ＣＳＩフィードバックビットの前記数が前記第２の閾値以下であるという条件で、前記ＷＴＲＵによって、第３のＰＵＣＣＨリソースを選択するステップと
をさらに備えることを特徴とする請求項１５に記載の方法。
【請求項１８】
ＨＡＲＱ−ＡＣＫフィードバックビットの前記数がゼロよりも多く、および、ＣＳＩフィードバックビットの前記数がゼロに等しいという条件で、前記ＷＴＲＵによって、第１のＰＵＣＣＨリソースまたは第４のＰＵＣＣＨリソースを選択するステップと、
ＨＡＲＱ−ＡＣＫフィードバックビットの前記数が第３の閾値よりも多いという条件で、前記ＷＴＲＵによって、第１のＰＵＣＣＨリソースを選択するステップと、
ＨＡＲＱ−ＡＣＫフィードバックビットの前記数が前記第３の閾値以下であるという条件で、前記ＷＴＲＵによって、第４のＰＵＣＣＨリソースを選択するステップと
をさらに備えることを特徴とする請求項１５に記載の方法。
【請求項１９】
前記ＨＡＲＱ−ＡＣＫフィードバックのために使用するＨＡＲＱ−ＡＣＫフィードバックビットの前記数、または、前記ＣＳＩフィードバックのために使用するＣＳＩフィードバックビットの前記数の少なくとも一方は、前記複数の構成されたキャリアの前記セット内のキャリアに対する複数のダウンリンク割り当てに基づいて決定されることを特徴とする請求項１５に記載の方法。
【請求項２０】
前記ＨＡＲＱ−ＡＣＫフィードバックのために使用するＨＡＲＱ−ＡＣＫフィードバックビットの前記数、または、前記ＣＳＩフィードバックのために使用するＣＳＩフィードバックビットの前記数の少なくとも一方は、トランスポートブロックの数、前記複数の構成されたキャリアの前記セット内のキャリアの数、または前記トランスポートブロックがその上で受信されるサブフレームの数のうちの少なくとも１つに基づいて決定されることを特徴とする請求項１５に記載の方法。
【請求項２１】
前記複数の構成されたキャリアの前記セットは、６つ以上の構成されたキャリアを含むことを特徴とする請求項１５に記載の方法。